(57)【特許請求の範囲】
【請求項１】
ベッド上の被験者の身体状態をモニタする身体状態モニタリングシステムであって、
ベッド又はベッドの脚下に設けられて前記被験者の荷重を検出する複数の荷重検出器と、
前記ベッド上の臭気を検出する臭気検出部と、
前記検出された被験者の荷重の時間的変動に基づいて前記被験者の排便予兆動作を推定する予兆動作推定部と、
前記臭気検出部の検出結果と前記予兆動作推定部の推定結果とに基づいて前記被験者による排便の有無を判定する排泄判定部とを備える身体状態モニタリングシステム。
【請求項２】
前記検出された荷重に基づいて前記被験者の重心位置の時間的変動を求める重心位置算出部を更に備え、
前記予兆動作推定部は、前記被験者の重心位置の時間的変動に基づいて前記被験者の排便予兆動作を推定する請求項１に記載の身体状態モニタリングシステム。
【請求項３】
前記検出された荷重に基づいて前記被験者の重心位置の時間的変動を求める重心位置算出部と、
所定時間内に移動する前記重心位置の移動距離に基づいて、前記重心位置の時間的変動から前記被験者の呼吸とは異なる大きな体動に応じて変動する大きな体動成分を決定し、前記重心位置の時間的変動から該大きな体動成分を除去する大きな体動成分除去部と、
前記重心位置の移動方向に基づいて、前記重心位置の時間的変動から前記被験者の呼吸とは異なる小さな体動に応じて変動する小さな体動成分を決定し、前記重心位置の時間的変動から該小さな体動成分を除去する小さな体動成分除去部とを更に備え、
前記排泄判定部は、前記臭気検出部の検出結果、前記予兆動作推定部の推定結果、及び前記大きな体動成分と前記小さな体動成分とが除去された前記重心位置の時間的変動に基づいて前記被験者の排泄状態を判定する請求項１に記載の身体状態モニタリングシステム。
【請求項４】
前記重心位置の移動距離又は前記検出された荷重の時間的変動の周波数に基づいて、前記大きな体動成分と前記小さな体動成分とが除去された前記重心位置の時間的変動から前記被験者の排便及び／又は排尿に応じて変動する排便排尿成分を特定する排便排尿成分特定部を更に備え、
前記排泄判定部は、前記臭気検出部の検出結果、前記予兆動作推定部の推定結果、及び前記排便排尿成分特定部の特定結果とに基づいて、前記被験者の排泄状態を判定する請求項３に記載の身体状態モニタリングシステム。
【請求項５】
前記排泄状態の判定は、排泄の有無、及び排泄が排便、排尿、及び放屁のいずれであるかの判定を含む請求項３又は４に記載の身体状態モニタリングシステム。
【請求項６】
前記予兆動作推定部は、前記被験者の重心位置の時間的変動に基づいて前記被験者の排便予兆動作を推定する請求項３〜５のいずれか一項に記載の身体状態モニタリングシステム。
【請求項７】
ベッド上の被験者の身体状態をモニタする身体状態モニタリングシステムであって、
ベッド又はベッドの脚下に設けられて前記被験者の荷重を検出する複数の荷重検出器と、
前記検出された荷重に基づいて前記被験者の重心位置の時間的変動を求める重心位置算出部と、
所定時間内に移動する前記重心位置の移動距離に基づいて、前記重心位置の時間的変動から前記被験者の呼吸とは異なる大きな体動に応じて変動する大きな体動成分を決定し、前記重心位置の時間的変動から該大きな体動成分を除去する大きな体動成分除去部と、
前記重心位置の移動方向に基づいて、前記重心位置の時間的変動から前記被験者の呼吸とは異なる小さな体動に応じて変動する小さな体動成分を決定し、前記重心位置の時間的変動から該小さな体動成分を除去する小さな体動成分除去部と、
前記ベッド上の臭気を検出する臭気検出部と、
前記大きな体動成分と前記小さな体動成分とが除去された前記重心位置の時間的変動と前記臭気検出部の検出結果とに基づいて前記被験者の排泄状態を判定する排泄判定部とを備える身体状態モニタリングシステム。
【請求項８】
前記重心位置の移動距離又は前記検出された荷重の時間的変動の周波数に基づいて、前記大きな体動成分と前記小さな体動成分とが除去された前記重心位置の時間的変動から前記被験者の排便及び／又は排尿に応じて変動する排便排尿成分を特定する排便排尿成分特定部を更に備え、
前記排泄判定部は、前記排便排尿成分特定部の特定結果と前記臭気検出部の検出結果とに基づいて前記被験者の排泄状態を判定する請求項７に記載の身体状態モニタリングシステム。
【請求項９】
前記臭気検出部は、総揮発性有機化合物（ＴＶＯＣ）センサ及び／又は二酸化窒素センサである請求項１〜８のいずれか一項に記載の身体状態モニタリングシステム。
【請求項１０】
前記複数の荷重検出器は、前記ベッドの四隅に設けられた四つの脚部の下にそれぞれが設置される４つの荷重検出器である請求項１〜９のいずれか一項に記載の身体状態モニタリングシステム。
【請求項１１】
ベッドと、
請求項１〜１０のいずれか一項に記載の身体状態モニタリングシステムとを備えるベッドシステム。
【発明の詳細な説明】
【技術分野】
【０００１】
本発明は、身体状態モニタリングシステム、及びベッドシステムに関する。
【背景技術】
【０００２】
病院の入院患者の看護や、介護施設の入所者の介護においては、患者や要介護者がおむつを着用している場合もある。また、おむつの中に排便や排尿があったことを検知して適切なタイミングでおむつ交換を行うことを可能とすべく、特許文献１や特許文献２に記載のシステムが提案されている。
【０００３】
特許文献１には、被験者の排泄の有無を、ベッドに加えられる荷重に基づいて求めた全体重心の位置と、ベッドに加えられる荷重から分離した呼吸成分（被験者の呼吸に応じて振動する成分）に基づいて求めた呼吸重心の位置との比較に基づいて判定する身体状態モニタリングシステムが記載されている。
【０００４】
特許文献２には、被介護者等が載置される載置台からガス経路を介して吸引されたガスの湿度変化に基づいて、被介護者等の排泄を検知する排泄検知システムが記載されている。
【先行技術文献】
【特許文献】
【０００５】
【特許文献１】特開２０１８−１９７６３号
【特許文献２】特開２０１３−７８５６６号
【発明の概要】
【発明が解決しようとする課題】
【０００６】
患者や被介護者等に排泄があった場合にこれを適切に検知できなければ、患者や被介護者等は、例えばおむつが汚れた状態のまま放置されてしまう恐れがある。反対に、患者や被介護者等に排泄がない場合に排泄があったとの誤検知がなされれば、患者や被介護者等への不要なアクセスが増え、患者や被介護者等にとって煩わしいばかりでなく、医療従事者、介護従事者等に不要な負担をかけることになる。
【０００７】
したがって、患者や被介護者等に排泄、特に排便があったことの適切な検知を可能として、必要な処置、例えばおむつ交換等を適切なタイミングで行うことを可能とすることが望まれている。これにより、患者や被介護者等のＱＯＬ（クオリティ・オブ・ライフ）を向上させることができ、同時に医療従事者、介護従事者等の負担も軽減できる。
【０００８】
上記に鑑み、本発明は、被験者に排便があったこと、又は排便若しくは排尿があったことをより高い精度で検知することのできる身体状態モニタリングシステム、及びベッドシステムを提供することを目的とする。
【課題を解決するための手段】
【０００９】
本発明の第１の態様に従えば、
ベッド上の被験者の身体状態をモニタする身体状態モニタリングシステムであって、
ベッド又はベッドの脚下に設けられて前記被験者の荷重を検出する複数の荷重検出器と、
前記ベッド上の臭気を検出する臭気検出部と、
前記検出された被験者の荷重の時間的変動に基づいて前記被験者の排便予兆動作を推定する予兆動作推定部と、
前記臭気検出部の検出結果と前記予兆動作推定部の推定結果とに基づいて前記被験者による排便の有無を判定する排泄判定部とを備える身体状態モニタリングシステムが提供される。
【００１０】
第１の態様の身体状態モニタリングシステムは、前記検出された荷重に基づいて前記被験者の重心位置の時間的変動を求める重心位置算出部を更に備えてもよい。第１の態様の身体状態モニタリングシステムにおいて、前記予兆動作推定部は、前記被験者の重心位置の時間的変動に基づいて前記被験者の排便予兆動作を推定してもよい。
【００１１】
第１の態様の身体状態モニタリングシステムは、 前記検出された荷重に基づいて前記被験者の重心位置の時間的変動を求める重心位置算出部と、所定時間内に移動する前記重心位置の移動距離に基づいて、前記重心位置の時間的変動から前記被験者の呼吸とは異なる大きな体動に応じて変動する大きな体動成分を決定し、前記重心位置の時間的変動から該大きな体動成分を除去する大きな体動成分除去部と、前記重心位置の移動方向に基づいて、前記重心位置の時間的変動から前記被験者の呼吸とは異なる小さな体動に応じて変動する小さな体動成分を決定し、前記重心位置の時間的変動から該小さな体動成分を除去する小さな体動成分除去部とを更に備えてもよい。第１の態様の身体状態モニタリングシステムにおいて、前記排泄判定部は、前記臭気検出部の検出結果、前記予兆動作推定部の推定結果、及び前記大きな体動成分と前記小さな体動成分とが除去された前記重心位置の時間的変動に基づいて前記被験者の排泄状態を判定してもよい。
【００１２】
第１の態様の身体状態モニタリングシステムは、前記重心位置の移動距離又は前記検出された荷重の時間的変動の周波数に基づいて、前記大きな体動成分と前記小さな体動成分とが除去された前記重心位置の時間的変動から前記被験者の排便及び／又は排尿に応じて変動する排便排尿成分を特定する排便排尿成分特定部を更に備えてもよい。第１の態様の身体状態モニタリングシステムにおいて、前記排泄判定部は、前記臭気検出部の検出結果、前記予兆動作推定部の推定結果、及び前記排便排尿成分特定部の特定結果とに基づいて、前記被験者の排泄状態を判定してもよい。
【００１３】
第１の態様の身体状態モニタリングシステムにおいて、前記排泄状態の判定は、排泄の有無、及び排泄が排便、排尿、及び放屁のいずれであるかの判定を含んでもよい。
【００１４】
第１の態様の身体状態モニタリングシステムにおいて、前記予兆動作推定部は、前記被験者の重心位置の時間的変動に基づいて前記被験者の排便予兆動作を推定してもよい。
【００１５】
本発明の第２の態様に従えば、
ベッド上の被験者の身体状態をモニタする身体状態モニタリングシステムであって、
ベッド又はベッドの脚下に設けられて前記被験者の荷重を検出する複数の荷重検出器と、
前記検出された荷重に基づいて前記被験者の重心位置の時間的変動を求める重心位置算出部と、
所定時間内に移動する前記重心位置の移動距離に基づいて、前記重心位置の時間的変動から前記被験者の呼吸とは異なる大きな体動に応じて変動する大きな体動成分を決定し、前記重心位置の時間的変動から該大きな体動成分を除去する大きな体動成分除去部と、
前記重心位置の移動方向に基づいて、前記重心位置の時間的変動から前記被験者の呼吸とは異なる小さな体動に応じて変動する小さな体動成分を決定し、前記重心位置の時間的変動から該小さな体動成分を除去する小さな体動成分除去部と、
前記ベッド上の臭気を検出する臭気検出部と、
前記大きな体動成分と前記小さな体動成分とが除去された前記重心位置の時間的変動と前記臭気検出部の検出結果とに基づいて前記被験者の排泄状態を判定する排泄判定部とを備える身体状態モニタリングシステムが提供される。
【００１６】
第２の態様の身体状態モニタリングシステムは、前記重心位置の移動距離又は前記検出された荷重の時間的変動の周波数に基づいて、前記大きな体動成分と前記小さな体動成分とが除去された前記重心位置の時間的変動から前記被験者の排便及び／又は排尿に応じて変動する排便排尿成分を特定する排便排尿成分特定部を更に備えてもよい。第２の態様の身体状態モニタリングシステムにおいて、前記排泄判定部は、前記排便排尿成分特定部の特定結果と前記臭気検出部の検出結果とに基づいて前記被験者の排泄状態を判定してもよい。
【００１７】
第１、第２の態様の身体状態モニタリングシステムにおいて、前記臭気検出部は、総揮発性有機化合物（ＴＶＯＣ）センサ及び／又は二酸化窒素センサであってもよい。
【００１８】
第１、第２の態様の身体状態モニタリングシステムにおいて、前記複数の荷重検出器は、前記ベッドの四隅に設けられた四つの脚部の下にそれぞれが設置される４つの荷重検出器であってもよい。
【００１９】
本発明の第３の態様に従えば、
ベッドと、
第１の態様又は第２の態様の身体状態モニタリングシステムとを備えるベッドシステムが提供される。
【発明の効果】
【００２０】
本発明の身体状態モニタリングシステム及びベッドシステムによれば、被験者に排便があったこと、又は排便若しくは排尿があったことをより高い精度で検知することができる。
【図面の簡単な説明】
【００２１】
【図１】図１は、本発明の実施形態に係る身体状態モニタリングシステムの構成を示すブロック図である。
【図２】図２は、荷重検出器、及び臭気検出部の吸気口のベッドに対する配置を示す説明図である。
【図３】図３は、臭気検出部の構成を示すブロック図である。
【図４】図４は、身体状態モニタリングシステムを用いた身体状態のモニタリング方法の手順を示すフローチャートである。
【図５】図５（ａ）はベッド上の被験者が排便予兆動作をとった時の被験者の重心の時間的変動の一例である、図５（ｂ）は、ベッド上の被験者が排便予兆動作をとった時の荷重信号の時間的変動の一例である。
【図６】図６（ａ）はベッド上の被験者が排便予兆動作をとった時の被験者の重心の時間的変動の他の一例である、図６（ｂ）は、ベッド上の被験者が排便予兆動作をとった時の荷重信号の時間的変動の他の一例である。
【図７】図７（ａ）はベッド上の被験者が排便予兆動作をとった時の被験者の重心の時間的変動の更に他の一例である、図７（ｂ）は、ベッド上の被験者が排便予兆動作をとった時の荷重信号の時間的変動の更に他の一例である。
【図８】図８は、排便・排尿軌跡決定部の構成を示すブロック図である。
【図９】図９は、排便・排尿軌跡決定工程の手順を示すフローチャートである。
【図１０】図１０（ａ）は被験者の重心軌跡の一例を示し、図１０（ｂ）は図１０（ａ）に示す重心軌跡を低いサンプリング周波数に変換することにより得られる重心軌跡を示す。
【図１１】図１１（ａ）、図１１（ｂ）、図１１（ｃ）は、図１０（ａ）に示すベッド上での被験者の重心軌跡から、大きな体動軌跡を取り除いた軌跡を示す。
【図１２】図１２は動きベクトルの解析により小さな体動軌跡を特定する方法を説明する説明図である。
【図１３】図１３（ａ）は、総揮発性有機化合物（ＴＶＯＣ）センサの検出結果の一例である。図１３（ｂ）は二酸化窒素センサの検出結果の一例である。
【図１４】図１４（ａ）は、ＴＶＯＣセンサの検出結果の他の一例である。図１４（ｂ）は二酸化窒素センサの検出結果の他の一例である。
【図１５】図１５（ａ）は、ＴＶＯＣセンサの検出結果の更に他の一例である。図１５（ｂ）は二酸化窒素センサの検出結果の更に他の一例である。
【図１６】図１６は、排泄状態決定工程の手順を示すフローチャートである。
【図１７】図１７は、変形例の排泄状態決定工程の手順を示すフローチャートである。
【図１８】図１８は、動きベクトルの移動方向を判断する方法を説明する説明図である。
【図１９】図１９は、変形例に係るベッドシステムの全体構成を示すブロック図である。
【発明を実施するための形態】
【００２２】
＜実施形態＞  
本発明の実施形態の身体状態モニタリングシステム１００（図１）について、これをベッドＢＤ（図２）と共に使用して、ベッドＢＤ上の被験者Ｓの身体状態、具体的には排泄状態をモニタする場合を例として説明する。
【００２３】
図１に示す通り、実施形態の身体状態モニタリングシステム１００は、荷重検出部１、臭気検出部２、制御部４、記憶部５を主に有する。荷重検出部１及び臭気検出部２と制御部４とは、Ａ／Ｄ変換部３を介して接続されている。制御部４には更に表示部６、報知部７、入力部８が接続されている。
【００２４】
荷重検出部１は、４つの荷重検出器１１、１２、１３、１４を備える（図２）。荷重検出器１１、１２、１３、１４のそれぞれは、例えばビーム形のロードセルを用いて荷重を検出する荷重検出器である。このような荷重検出器は例えば、特許第４８２９０２０号や特許第４００２９０５号に記載されている。荷重検出器１１、１２、１３、１４はそれぞれ、配線又は無線によりＡ／Ｄ変換部３に接続されている。
【００２５】
図２に示す通り、荷重検出部１の４つの荷重検出器１１〜１４は、被験者Ｓが使用するベッドＢＤの四隅の脚ＢＬ１、ＢＬ２、ＢＬ３、ＢＬ４の下端部に取り付けられたキャスターＣ１、Ｃ２、Ｃ３、Ｃ４の下にそれぞれ配置される。
【００２６】
臭気検出部２は、図３に示すとおり、本体部２１と、吸引流路２２ａ〜２２ｆとを含む。
【００２７】
本体部２１は、一例としてベッドＢＤの近傍の床面上に設置される。本体部２１は、総揮発性有機化合物（ＴＶＯＣ）センサ２１１と、二酸化窒素センサ２１２とを含む。本体部２１は、配線又は無線によりＡ／Ｄ変換部３に接続されている。
【００２８】
吸引流路２２ａ〜２２ｆの各々は、ベッドＢＤ上の被験者Ｓの臀部の近傍の空気を、本体部２１のＴＶＯＣセンサ２１１及び二酸化窒素センサ２１２へと導く流路である。吸引流路２２ａ〜２２ｆの各々は、一例として樹脂で形成された分岐管であり、１つの上流端と２つの下流端とを有する。
【００２９】
吸引流路２２ａ〜２２ｆの上流端には吸引口Ｐａ〜Ｐｆが画定されている。図２に示す通り、吸引口Ｐａ〜Ｐｆは、ベッドＢＤの長さ方向（Ｘ方向）の中央部の一方側且つ幅方向（Ｙ方向）の中央部に位置する領域（即ち、長さ方向に沿ってベッドＢＤ上に横たわる被験者Ｓの臀部近傍に位置する領域）に、マトリックス状に配置されている。長さ方向に隣接する２つの吸引口の間の距離、及び幅方向に隣接する２つの吸引口の間の距離は、一例として３０〜１００ｍｍ程度とし得る。
【００３０】
６つの吸引口Ｐａ〜Ｐｆはそれぞれ、被験者Ｓが着用したおむつから放出される臭気を検出できるように配置されており、具体的には例えばシーツの下側に配置されている。
【００３１】
吸引流路２２ａ〜２２ｆの各々の下流端は、一方がＴＶＯＣセンサ２１１に接続されており、他方が二酸化窒素センサ２１２に接続されている。
【００３２】
臭気検出部２は更に、不図示の吸引機構を備える。吸引機構は一例として小型の空気ポンプである。吸引機構は、吸引口Ｐａ〜Ｐｆの近傍の空気をＴＶＯＣセンサ２１１及び二酸化窒素センサ２１２に送るように、吸引流路２２ａ〜２２ｆに負圧を与える。吸引機構は、例えば、吸引流路２２ａ〜２２ｆ内に配置されていてもよく、ＴＶＯＣセンサ２１１、二酸化窒素センサ２１２の下流側に配置されていてもよい。
【００３３】
Ａ／Ｄ変換部３は、荷重検出部１及び臭気検出部２からのアナログ信号をデジタル信号に変換するＡ／Ｄ変換器を備え、荷重検出部１、臭気検出部２、及び制御部４にそれぞれ配線又は無線で接続されている。
【００３４】
制御部４は、専用又は汎用のコンピュータであり、内部に重心位置算出部４１、予兆動作推定部４２、排便・排尿軌跡決定部４３、及び排泄状態判定部(排泄判定部)４４が構築されている。
【００３５】
記憶部５は、身体状態モニタリングシステム１００において使用されるデータを記憶する記憶装置であり、例えばハードディスク（磁気ディスク）を用いることができる。
【００３６】
表示部６は、制御部４から出力される情報を身体状態モニタリングシステム１００の使用者に表示する液晶モニタ等の画像表示装置である。
【００３７】
報知部７は、制御部４からの情報に基づいて所定の報知を聴覚的に行う装置、例えばスピーカを備える。
【００３８】
入力部８は、制御部４に対して所定の入力を行うためのインターフェイスであり、キーボード及びマウスにし得る。
【００３９】
このような身体状態モニタリングシステム１００を使用して、ベッド上の被験者の身体状態（具体的には排泄状態）をモニタする動作について説明する。
【００４０】
身体状態モニタリングシステム１００を使用した被験者の身体状態のモニタは、図４のフローチャートに示す通り、被験者の荷重を検出する荷重検出工程Ｓ１、検出した荷重（荷重値）に基づいて被験者の重心位置、及び該重心位置の時間的変動の軌跡（重心軌跡）を算出する重心軌跡算出工程Ｓ２、被験者の排便に先立って生じる被験者の動作（排便予兆動作。詳細後述）があったことを推定する予兆動作推定工程Ｓ３、被験者の排便・排尿に伴って生じる重心移動の軌跡（排便・排尿軌跡。詳細後述）があったことを決定する排便・排尿軌跡決定工程Ｓ４、被験者の臭気を検出する臭気検出工程Ｓ５、予兆動作推定工程Ｓ３、排便・排尿軌跡決定工程Ｓ４、臭気検出工程Ｓ５の結果に基づいて被験者における排泄（即ち、排便、排尿、放屁）の有無を判定する排泄状態判定工程Ｓ６、及び排泄状態判定工程Ｓ６の結果を表示する表示工程Ｓ７を含む。
【００４１】
［荷重検出工程］
荷重検出工程Ｓ１では、荷重検出器１１、１２、１３、１４を用いてベッドＢＤ上の被験者Ｓの荷重を検出する。ベッドＢＤ上の被験者Ｓの荷重は、ベッドＢＤの四隅の脚ＢＬ１〜ＢＬ４の下に配置された荷重検出器１１〜１４に分散して付与され、これらによって分散して検出される。なお、ここでは、ベッドＢＤの重量は風袋引きされているものとするが、風袋引きは必須ではない。
【００４２】
荷重検出器１１〜１４はそれぞれ、荷重（荷重変化）を検出してアナログ信号としてＡ／Ｄ変換部３に出力する。Ａ／Ｄ変換部３は、サンプリング周期を例えば５ミリ秒として、アナログ信号をデジタル信号に変換し、デジタル信号（以下「荷重信号」）として制御部４に出力する。以下では、荷重検出器１１、１２、１３、１４から出力されたアナログ信号をＡ／Ｄ変換部３においてデジタル変換して得られる荷重信号を、それぞれ荷重信号ｓ１、ｓ２、ｓ３、ｓ４と呼ぶ。
【００４３】
[重心軌跡算出工程] 
重心軌跡算出工程Ｓ２では、重心位置算出部４１が、荷重検出器１１〜１４からの荷重信号ｓ１〜ｓ４に基づいてベッドＢＤ上の被験者Ｓの重心Ｇの位置Ｇ（Ｘ、Ｙ）を所定の周期Ｔ（例えば上記のサンプリング周期である５ミリ秒に等しい）で算出し、被験者Ｓの重心Ｇの位置の時間的変動（重心軌跡ＧＴ）を求める。ここで、（Ｘ、Ｙ）は、ベッドＢＤの中心部を原点Ｏとして長さ方向にＸを、幅方向にＹを取ったＸＹ座標面上における座標を示す（図２）。
【００４４】
重心位置算出部４１による重心Ｇの位置Ｇ（Ｘ、Ｙ）の算出は、次の演算により行われる。すなわちＧ（Ｘ、Ｙ）は、荷重検出器１１、１２、１３、１４の座標をそれぞれ（Ｘ１１、Ｙ１１）、（Ｘ１２、Ｙ１２）、（Ｘ１３、Ｙ１３）、（Ｘ１４、Ｙ１４）、荷重検出器１１、１２、１３、１４の荷重の検出値をそれぞれＷ１１、Ｗ１２、Ｗ１３、Ｗ１４として、次式により算出される。
【数１】
0006934982.tif 000002
【数２】
0006934982.tif 000003
【００４５】
重心位置算出部４１は、上記の数式１、数式２に基づいて重心Ｇの位置Ｇ（Ｘ、Ｙ）を所定のサンプリング周期Ｔで算出しながら、重心Ｇの位置Ｇ（Ｘ、Ｙ）の時間的変動、即ち重心軌跡ＧＴを求め、例えば記憶部５に記憶させる。
【００４６】
［予兆動作推定工程］
予兆動作推定工程Ｓ３では、予兆動作推定部４２が、荷重検出部１からの荷重信号ｓ１、ｓ２、ｓ３、ｓ４、及び／又はこれらに基づいて算出された重心Ｇに基づいて、被験者Ｓが排便予兆動作を行ったと推定する。
【００４７】
本発明及び本明細書において「排便予兆動作」とは、ベッド上の被験者が、排便に先立って高い確率で行う所定の動作を意味する。
【００４８】
予兆動作推定部４２は、次の原理に基づいて、被験者Ｓが排便予兆動作を行ったとの推定を行う。
【００４９】
人間の排便は、大腸に溜まっている便を、直腸を介して肛門から排出することにより行われる。ここで、一般的に排便には、次の３つの力が寄与している。
【００５０】
第１の力は、大腸の蠕動運動により便に与えられる力である。この力が、大腸に溜まっている便を直腸へと移動させる。
【００５１】
第２の力は、重力である。この力が、直腸内の便の、肛門へと向かう移動を補助する。
【００５２】
第３の力は、人間がいきむことにより直腸に与えられる外圧である。この外圧は、具体的には例えば、呼吸筋や腹筋の緊張により生じる。この力が、直腸内の便を肛門に向けて移動させ、且つ肛門を介して体外に排出する。
【００５３】
ここで、人間がベッド上に仰臥している状態では、大腸の蠕動運動が生じにくいと言われている。また、人間がベッド上に仰臥している状態では、直腸内の便の位置が肛門よりも下方となってしまい、重力も排便の助けとならない。
【００５４】
更に、人間がベッド上に仰臥している状態では、足を安定させて踏み込むことができないため、踏ん張ることが難しい。また、呼吸筋や腹筋に力をいれた際に伝達される力の方向がずれてしまうため、いきみにより直腸に与えられる外圧も小さくなってしまう。
【００５５】
即ち、人間がベッド上に仰臥している状態では、排便に寄与する３つの力がいずれも弱くなるかあるいは無くなってしまう。よって、ベッド上に仰臥したまま排便を行うことは、通常、容易ではない。
【００５６】
本発明の発明者の知見によれば、ベッド上で排便を行おうとする患者や被介護者等は、高い確率で、上記の３つの力の少なくとも１つが大きくなるように姿勢を変化させる。「排便予兆動作」とは即ち、このような姿勢変化を生むために患者や被介護者等が行う動作である。
【００５７】
本発明の発明者は更に、鋭意研究を行い、ベッドの４つの脚の下に配置した荷重検出器の検出値の変動、及び／又はこれらに基づいて算出されたベッド上の被験者の重心位置の変動に基づいて、被験者が排便予兆動作を行ったとの推定を行い得ることを見出した。
【００５８】
本実施形態の予兆動作決定部４２は、本発明の発明者の上記の知見に基づいて、被験者Ｓが排便予兆動作を行ったとの推定を行う。具体的には例えば、荷重検出部１からの荷重信号ｓ１〜ｓ４の変動、及び／又は重心位置算出部４１が算出する重心Ｇの変動が所定のパターンを示したことに基づいて被験者Ｓが排便予兆動作を行ったと推定する。
【００５９】
排便予兆動作の一例は、側臥位となってベッドの柵を掴む動作である。このような排便予兆動作が生じた場合の重心Ｇの変動の様子、荷重信号ｓ１〜ｓ４の変動の様子は、図５（ａ）、（ｂ）、図６（ａ）、（ｂ）に示す通りである。
【００６０】
図５（ａ）は、時刻ｔ０にベッドＢＤの幅方向中央の近傍で仰臥位をとっている被験者Ｓが、時刻ｔ１に右側臥位となってベッドＢＤの右側の柵を把持し且つ右側の柵に足を掛け、その後時刻ｔ１〜時刻ｔ２にかけて断続的にいきんだ場合に生じる重心軌跡ＧＴを示す。時刻ｔ０における被験者Ｓの重心ＧがＧ（ｔ０）であり、時刻ｔ１〜ｔ２における被験者Ｓの重心ＧがＧ（ｔ１〜ｔ２）である。図示されていないが、Ｇ（ｔ１〜ｔ２）は被験者Ｓのいきみに応じて断続的にわずかに振動している。この振動に応じた荷重信号ｓ１〜ｓ４の振動が、図５（ｂ）の時刻ｔ１〜ｔ２の期間において２回示されている。
【００６１】
図６（ａ）は、時刻ｔ０にベッドＢＤの幅方向中央の近傍で仰臥位をとっている被験者Ｓが、時刻ｔ１に左側臥位となってベッドＢＤの左側の柵を把持し且つ左側の柵に足を掛け、その後時刻ｔ１〜時刻ｔ２にかけて断続的にいきんだ場合に生じる重心軌跡ＧＴを示す。時刻ｔ０における被験者Ｓの重心ＧがＧ（ｔ０）であり、時刻ｔ１〜ｔ２における被験者Ｓの重心ＧがＧ（ｔ１〜ｔ２）である。図示されていないが、Ｇ（ｔ１〜ｔ２）は被験者Ｓのいきみに応じて断続的にわずかに振動している。この振動に応じた荷重信号ｓ１〜ｓ４の振動が、図６（ｂ）の時刻ｔ１〜ｔ２の期間において２回示されている。
【００６２】
このように側臥位となることで、直腸内の便の位置と肛門の位置とを略水平とすることができる。したがって、いきみにより直腸に与えるべき力（即ち第３の力）を小さくすることができる。
【００６３】
また、側臥位となってベッドの柵をつかみ、足をベッドの柵にかけることで、いきむことが容易となる。更に、側臥位となることで、呼吸筋、腹筋の緊張により生じる押圧力をより効率よく直腸に伝えることができる。
【００６４】
排便予兆動作の他の一例は、仰臥位のままでベッドの柵を掴む動作である。このような排便予兆動作が生じた場合の重心Ｇの変動の様子、荷重信号ｓ１〜ｓ４の変動の様子は、図７（ａ）、（ｂ）に示す通りである。
【００６５】
図７（ａ）は、時刻ｔ０にベッドＢＤの幅方向中央の近傍で仰臥位をとっている被験者Ｓが、時刻ｔ１に仰臥位のまま両腕を頭側に移動させてベッドＢＤの頭側の柵を把持し、且つ両足をまげて足の裏をマットレスの上面に押しあてた姿勢に至り、その後時刻ｔ１〜時刻ｔ２にかけて断続的にいきんだ場合に生じる重心軌跡ＧＴを示す。時刻ｔ０における被験者Ｓの重心ＧがＧ（ｔ０）であり、時刻ｔ１〜ｔ２における被験者Ｓの重心ＧがＧ（ｔ１〜ｔ２）である。図示されていないが、Ｇ（ｔ１〜ｔ２）は被験者Ｓのいきみに応じて断続的にわずかに振動している。この振動に応じた荷重信号ｓ１〜ｓ４の振動が、図７（ｂ）の時刻ｔ１〜ｔ２の期間において２回示されている。
【００６６】
このように、ベッドの柵を掴み、且つ足の裏をマットレスに接触させた姿勢をとることで、いきむことが容易となり、第３の力を大きくすることができる。
【００６７】
予兆動作推定部４２は、被験者Ｇの重心Ｇが図５（ａ）〜図７（ａ）に示すような重心軌跡ＧＴを描いたこと、及び／又は荷重信号ｓ１〜ｓ４が図５（ｂ）〜図７（ｂ）に示すような変動を示したことに基づいて、被験者Ｓが排便予兆動作を行ったと推定し得る。なお、被験者Ｓが側臥位となって柵を掴む場合の重心Ｇのベッド幅方向の移動距離は通常、柵を掴むため、被験者Ｓが単に側臥位となる場合の移動距離よりも大きい。また、被験者Ｓのいきみにともなう重心Ｇ、荷重信号ｓ１〜ｓ４の振動も、排便予兆動作の推定を行う際の判断要因の一つとし得る。
【００６８】
[排便・排尿軌跡決定工程]
排便・排尿軌跡決定工程Ｓ４では、排便・排尿軌跡決定部４３が、重心軌跡算出工程Ｓ２において算出した重心軌跡ＧＴから、排便・排尿軌跡を特定する。
【００６９】
排便・排尿軌跡の特定は、次の原理に基づいて行う。
【００７０】
特開２０１８−１２６４２３号に記載の通り、被験者Ｓの生体活動は「大きな体動」、「小さな体動」、及び「呼吸」に分類することができる。大きな体動に応じた重心Ｇの位置の時間的変動の軌跡（以下「大きな体動軌跡」と呼ぶ）、小さな体動に応じた重心Ｇの位置の時間的変動の軌跡（以下「小さな体動軌跡」と呼ぶ）、及び呼吸に応じた重心Ｇの位置の時間的変動の軌跡（以下「呼吸振動軌跡」と呼ぶ）はそれぞれ異なる特徴を示す。
【００７１】
本明細書及び本発明において、「大きな体動」とは、被験者の体動のうち胴体部（体幹）の移動を伴う比較的大きなものを意味し、具体的には例えば、寝返りや起き上がり等である。被験者に大きな体動が生じた時には、一般的に、被験者の体軸の向き（被験者の背骨の延びる向き）が変化する。
【００７２】
大きな体動を重心Ｇの位置の時間的変動の様子という観点でとらえると、一般的に大きな体動は、所定期間内に生じる所定距離以上の比較的長い距離の重心Ｇの移動、例えば重心Ｇの比較的高速度での移動を生じる体動である。そのため例えば、所定期間ＰＰに所定距離ＰＤ１を越える重心移動を生じる体動、及び／又は所定値Ｖ１を越える速度での重心移動を生じる体動を大きな体動と定義することができる。あるいは、小さな体動により生じる重心Ｇの位置の時間的変動との相違に基づき、例えば、単位時間内に、小さな体動による重心Ｇの移動距離と比較して、所定倍程度よりも大きく重心Ｇを移動させる体動を大きな体動と定義することもできる。大きな体動軌跡は、このような重心Ｇの移動の軌跡である。
【００７３】
本明細書及び本発明において、「小さな体動」とは、被験者の体動のうち胴体部（体幹）の移動を伴わない比較的小さいものを意味し、具体的には例えば、手足や頭部のみの運動等である。
【００７４】
小さな体動を重心Ｇの位置の時間的変動の様子という観点でとらえると、一般的に小さな体動は、単位時間内の比較的短い距離の重心Ｇの移動、例えば重心Ｇの比較的低速度での移動を生じる体動である。そのため例えば、所定期間ＰＰに所定距離ＰＤ２（＜ＰＤ１）程度の重心移動を生じる体動及び／又は、移動速度が所定値Ｖ２（＜Ｖ１）程度の重心移動を生じる体動を小さな体動と定義することができる。
【００７５】
また、小さな体動を、所定期間ＰＰに所定距離ＰＤ２程度の重心移動を生じ又は移動速度が所定値Ｖ２程度であり、且つ周期性を有さず、被験者Ｓの体軸方向とは異なる方向に向かう重心移動を生じる体動を小さな体動と定義してもよい。小さな体動軌跡は、このような重心Ｇの移動の軌跡である。
【００７６】
呼吸に応じた重心Ｇの位置の時間的変動の様子は次の通りである。人間の呼吸は胸郭及び横隔膜を移動させて、肺を膨張及び収縮させることにより行われる。ここで吸気時、すなわち肺が膨張する時には横隔膜は下方に下がり、内臓も下方に移動する。一方で呼気時、すなわち肺が収縮する時には横隔膜は上方に上がり、内臓も上方に移動する。本出願人に発行された特許第６,１０５,７０３号に記載の通り、呼吸はこの内臓の上下移動に伴うために、呼吸により重心Ｇが被験者の上下方向（背骨の方向）即ち体軸方向にほぼ沿って振動する。したがって、体軸方向の重心の振動として現れる呼吸と、体軸方向とは異なる方向の重心の移動として現れる小さな体動とは区別できる。
【００７７】
本発明の発明者は、ベッド上における被験者の重心移動を更に詳細に検討し、被験者の体動及び呼吸に応じた上記の重心移動のほか、被験者が排便・排尿を行った場合にも特徴的な重心移動が観察できることを見出した。
【００７８】
具体的には、ベッド上の被験者がおむつへと排尿を行うと、排尿に合わせて、被験者の重心が、被験者の体軸方向に沿って比較的低い速度Ｖ３（＜Ｖ２）で、被験者の足側へと移動する。これは、所定の重量を有する被験者の尿が、排尿により、被験者の足側に移動するためである。また、被験者が排便を行った場合も同様に、被験者の重心が、被験者の体軸方向に沿って比較的低い速度Ｖ４（＜Ｖ２）で、被験者の足側へと移動する。本発明及び本明細書では、このような重心Ｇの移動の軌跡を、「排便・排尿軌跡」と呼ぶ。
【００７９】
ここで、第１実施形態の身体状態モニタリングシステム１００は、被験者Ｓの重心の位置を、被験者の衣服やおむつも含めた重量の重心の位置として算出している。したがって、おむつ内に排泄された尿や便（即ち、被験者Ｓの体外に排出された尿や便）も、被験者Ｓの体内に存在していた場合と同様に、被験者Ｓの重心位置の算出に影響を及ぼす。
【００８０】
排便・排尿軌跡決定部４３は、大きな体動軌跡、小さな体動軌跡、呼吸振動軌跡が、上記の通り異なる特徴を有することに基づき、被験者の重心軌跡中の大きな体動軌跡、小さな体動軌跡、及び呼吸振動軌跡を特定し、排便・排尿軌跡を特定する。
【００８１】
排便・排尿軌跡決定部４３が、被験者Ｓの排便・排尿軌跡を特定する方法の具体例は次の通りである。
【００８２】
排便・排尿軌跡決定部４３は、図８に示す通り、記憶部５から被験者Ｓの重心軌跡を取り出す重心軌跡取得部４３０と、取り出した重心軌跡に含まれる被験者Ｓの大きな体動軌跡を特定して除去する大きな体動軌跡除去部（大きな体動成分除去部）４３１と、取り出した重心軌跡ＧＴに含まれる被験者Ｓの小さな体動軌跡を特定して除去する小さな体動軌跡除去部（小さな体動成分除去部）４３２と、大きな体動軌跡及び小さな体動軌跡が除去された重心軌跡ＧＴを呼吸振動軌跡と排便・排尿軌跡（排便排尿成分）とに区別する軌跡区別部（排便排尿成分特定部）４３３とを備える。
【００８３】
排便・排尿軌跡決定部４３が実行する排便・排尿軌跡決定工程Ｓ４は、図９に示す通り、大きな体動軌跡除去工程Ｓ３１と、小さな体動軌跡除去工程Ｓ３２と、軌跡区別工程Ｓ３３とを含む。
【００８４】
[大きな体動軌跡除去工程]
大きな体動軌跡除去工程Ｓ３１においては、まず、重心軌跡取得部４３０を用いて所定期間における被験者Ｓの重心軌跡ＧＴを記憶部５から取り出す。取り出される重心軌跡ＧＴの一例は図１０（ａ）に示す通りである。
【００８５】
図１０（ａ）に示す重心軌跡ＧＴは、被験者Ｓが大きな体動（寝返り等）によりベッド上を左右方向に一往復していることを示している。また、大きな体動が生じていない期間（以下、「安定体位期間」と呼ぶ）において、被験者Ｓの重心Ｇが、領域Ａ、Ｂ、Ｃ内でそれぞれ移動する様子を示している。領域Ａ、Ｂ、Ｃ内での重心Ｇの移動は、被験者Ｓの小さな体動、呼吸、及び排尿に起因して生じている。
【００８６】
排便・排尿軌跡決定部４３は、次いで、大きな体動軌跡除去部４３１を用いて、重心軌跡ＧＴから被験者Ｓの大きな体動軌跡を特定する。大きな体動軌跡除去部４３１は、各サンプリング時刻における重心Ｇの位置を解析し、「大きな体動」の定義に基づき適宜大きな体動に応じた重心Ｇの移動の軌跡（大きな体動軌跡）を特定することができる。具体的には例えば、重心Ｇが、所定時間内に所定距離を越えて移動している場合に、この移動の軌跡が大きな体動軌跡であると特定する。
【００８７】
大きな体動軌跡除去部４３１は、重心Ｇが所定時間内に所定距離を越えて移動したか否かを、次の方法を用いて判断する。まず、図１０（ａ）に示す重心軌跡ＧＴを、より低いサンプリング周波数に変換した重心軌跡ＧＴ１に変換する（図１０（ｂ））。より低いサンプリング周波数への変換は、サンプリング周期５ミリ秒で取得されている重心位置Ｇのデータを間引いたり、移動平均処理を施すことによって行うことができる。又は重心軌跡ＧＴを周波数分解してローパスフィルタにより所定の低周波数成分を取り出すことによっても行うことができる。
【００８８】
なお、低いサンプリング周波数は、大きい体動を抽出するのに十分な程度に短い周期（大きい周波数）であり、且つ小さな体動や呼吸等の他の要因による重心の変動の影響を受けない程度に長い周期（小さい周波数）とすることが望ましい。
【００８９】
図１０（ｂ）において、点Ａ１と点Ｂ１との間の軌跡は、例えば、右方向に、所定時間内に所定距離を越えて移動している。従って大きな体動軌跡除去部４３１は、この区間における軌跡を大きな体動軌跡であると特定する。同様に、点Ｂ２と点Ｃ１との間の軌跡も、例えば、左方向に、所定時間内に所定距離を越えて移動している。従って大きな体動軌跡除去部４３１は、この区間における軌跡を大きな体動軌跡であると特定する。
【００９０】
大きな体動軌跡除去部４３１は、大きな体動軌跡を特定した後、重心軌跡ＧＴから大きな体動軌跡を除去し、大きな体動軌跡が除去された重心軌跡ＧＴを小さな体動軌跡除去部４３２に送る。図１０（ａ）に示す重心軌跡ＧＴから、大きな体動軌跡を除去したものを図１１（ａ）〜図１１（ｃ）に示す。図１１（ａ）は図１０（ａ）の領域Ａにおける重心軌跡ＧＴ、図１１（ｂ）は図１０（ａ）の領域Ｂにおける重心軌跡ＧＴ、図１１（ｃ）は図１０（ａ）の領域Ｃにおける重心軌跡ＧＴである。これらはそれぞれ、安定体位期間（被験者が大きな体動を呈していない期間）における重心軌跡ＧＴに相当する。
【００９１】
[小さな体動軌跡除去工程]
続く小さな体動軌跡除去工程Ｓ３２において、排便・排尿軌跡決定部４３は、小さな体動軌跡除去部４３２を用いて、大きな体動軌跡が除去された重心軌跡ＧＴに含まれる小さな体動軌跡を特定する。具体的な工程を、領域Ｃの重心軌跡ＧＴ（図１１（ｃ））に含まれる小さな体動軌跡を特定し、これを除去する工程を例に説明する。
【００９２】
図１１（ｃ）において、重心軌跡ＧＴは、呼吸による重心Ｇの振動を表す部分ｇｔ１、ｇｔ３、ｇｔ５と、小さな体動による重心Ｇの移動を表す部分ｇｔ２と、排尿による重心Ｇの移動を表す部分ｇｔ４とを含んでいる。呼吸による重心Ｇの移動を表す部分ｇｔ１、ｇｔ３、ｇｔ５は周期的な振動を示している。なお、部分ｇｔ１、ｇｔ３、ｇｔ５の振動軌跡は、実際には振動方向に沿った一軸上に重複して現れているが、図１１（ｃ）においては、説明のため、体軸方向に直交する方向にずらして描いている。図１１（ａ）、図１１（ｂ）、図１２においても同様である。
【００９３】
小さな体動による重心Ｇの移動を表す部分ｇｔ２は、体軸方向とは異なる方向に延びる軌跡であり、排尿による重心Ｇの移動を表す部分ｇｔ４は体軸方向に延びる軌跡である。
【００９４】
したがって、小さな体動軌跡除去部４３２は、小さな体動軌跡が体軸方向（即ち呼吸振動の方向）とは異なる方向に延びることに基づいて小さな体動軌跡を特定する。小さな体動軌跡除去部４３２は、一例として、外れ値除去の方法により被験者Ｓの小さな体動軌跡を特定する。
【００９５】
具体的には、図１１（ｃ）に示す重心軌跡が、図１２のように、ｖ１〜ｖ４８までの４８個の動きベクトルを含んでいるものとする。小さな体動軌跡除去部４３２はまず、これらの４８個の動きベクトルから最頻値ベクトルｖｆの向きを求める。動きベクトルｖ１〜ｖ４８はそれぞれ向きを有するが、図１２に示されるように、動きベクトルｖ１〜ｖ４８の多くは、それぞれ互いに同一の向きを有している。最頻値ベクトルｖｆの向きは、動きベクトルｖ１〜ｖ４８の向きのうち、最も多く表れる向きに等しく、図１２から明らかなように動きベクトルｖ１〜ｖ１１、ｖ１５〜ｖ４８のいずれかの向きに等しい（上述の通り、これらの動きベクトルは、図示の都合上互いに対して傾いているが、実際はいずれもがほぼ体軸方向に沿っている）。
【００９６】
次に、小さな体動軌跡除去部４３２は、動きベクトルｖ１〜ｖ４８の内、自らの向きと最頻値ベクトルｖｆの向き（又は最頻値ベクトルｖｆに対して１８０°の角度を有する向き）との間の相違が一定の閾値以下の動きベクトルを多数派ベクトルとみなし、自らの向きと最頻値ベクトルｖｆの向き（及び最頻値ベクトルｖｆに対して１８０°の角度を有する向き）との間の相違が一定の閾値よりも大きい動きベクトルを少数派ベクトルとみなす。具体的には、被験者Ｓの体軸方向にほぼ沿った向きを有する動きベクトルｖ１〜ｖ１１、ｖ１５〜ｖ４８を多数派ベクトルとみなし、その他の動きベクトルｖ１２〜ｖ１４を少数派ベクトルとみなし、抽出する。このように抽出された少数派ベクトルにより表される軌跡が、小さな体動軌跡に相当する。
【００９７】
小さな体動軌跡除去部４３２は、小さな体動軌跡を決定した後、重心軌跡ＧＴから小さな体動軌跡を除去し、小さな体動軌跡が除去された重心軌跡ＧＴを軌跡区別部４３３に送る。
【００９８】
[軌跡区別工程]
続く軌跡区別工程Ｓ３３において、軌跡区別部４３３は、大きな体動軌跡及び小さな体動軌跡が取り除かれた重心軌跡ＧＴを、呼吸振動軌跡と排便・排尿軌跡（排便排尿成分）とに区別する。呼吸振動軌跡と排便・排尿軌跡との区別は、具体的には例えば、重心Ｇの、同一方向又は略同一方向に沿った所定距離以上の直線移動を特定することにより行う。
【００９９】
具体的には以下の手順による。軌跡区別部４３３は、小さな体動軌跡除去部４３２より、小さな体動軌跡が除去された重心軌跡ＧＴを受け取る。受け取られる重心軌跡ＧＴは例えば、図１２の重心軌跡ＧＴにおいて、動きベクトルｖ１２〜ｖ１４が除去された軌跡である。
【０１００】
軌跡区別部４３３は、受け取った重心軌跡ＧＴを解析して、重心Ｇが、同一方向又は略同一方向に沿って所定距離以上の直線移動を行う領域を特定する。この特定は例えば、向きが同一又は略同一の動きベクトルが、所定数を超えて連続して生じる領域を特定することにより行う。或いは、大きな体動軌跡除去部４３１と同様に、各サンプリング時刻における重心Ｇの位置を参照して、重心Ｇが、同一方向又は略同一方向に沿って所定距離以上の直線移動を行う領域を特定してもよい。
【０１０１】
軌跡区別部４３３は、重心Ｇが同一方向又は略同一方向に沿って所定距離以上の直線移動を行う領域を特定した後、当該領域における重心Ｇの移動の軌跡を排便・排尿軌跡であると決定し、その他の領域を呼吸振動軌跡であると決定する。
【０１０２】
［臭気検出工程］
臭気検出工程Ｓ５では、臭気検出部２が、被験者Ｓの排泄により生じる臭気を検出する。
【０１０３】
臭気検出部２は、不図示の吸引機構を用いて、吸引流路２２ａ〜２２ｆに負圧を与える。これにより、ベッドＢＤ上の被験者Ｓの臀部周辺の空気が、吸引流路２２ａ〜２２ｆの端部の吸引口Ｐａ〜Ｐｆを介して吸引流路２２ａ〜２２ｆ内に吸引され、本体部２１のＴＶＯＣセンサ２１１及び二酸化窒素センサ２１２に導かれる。
【０１０４】
本体部２１のＴＶＯＣセンサ２１１は、吸引流路２２ａ〜２２ｆの各々を介してＴＶＯＣセンサ２１１に供給される空気に含まれる総揮発性有機化合物（ＴＶＯＣ）の量を検出し、６つの吸引流路にそれぞれ対応する６つのアナログ信号としてＡ／Ｄ変換部３に出力する。Ａ／Ｄ変換部３は、サンプリング周期を例えば５ミリ秒として、６つのアナログ信号を６つのデジタル信号に変換し、デジタル信号（以下「ＴＶＯＣ信号」）として制御部４に出力する。
【０１０５】
以下では、Ａ／Ｄ変換部３を介してＴＶＯＣセンサ２１１から出力される６つのデジタル信号を、ＴＶＯＣ信号ｓａＴＶＯＣ〜ｓｆＴＶＯＣと記載する。ＴＶＯＣ信号ｓａＴＶＯＣ〜ｓｆＴＶＯＣはそれぞれ、吸引口Ｐａ〜Ｐｆの近傍の空気に含まれるＴＶＯＣの量を示すデジタル信号である。
【０１０６】
本体部２１の二酸化窒素センサ２１２は、吸引流路２２ａ〜２２ｆの各々を介して二酸化窒素センサ２１２に供給される空気に含まれる二酸化窒素（ＮＯ２）の量を検出し、６つの吸引流路にそれぞれ対応する６つのアナログ信号としてＡ／Ｄ変換部３に出力する。Ａ／Ｄ変換部３は、サンプリング周期を例えば５ミリ秒として、６つのアナログ信号を６つのデジタル信号に変換し、デジタル信号（以下「ＮＯ２信号」）として制御部４に出力する。
【０１０７】
以下では、Ａ／Ｄ変換部３を介して二酸化窒素センサ２１２から出力される６つのデジタル信号を、ＮＯ２信号ｓａＮＯ２〜ｓｆＮＯ２と記載する。ＮＯ２信号ｓａＮＯ２〜ｓｆＮＯ２はそれぞれ、吸引口Ｐａ〜Ｐｆの近傍の空気に含まれる二酸化窒素の量を示すデジタル信号である。
【０１０８】
制御部４は、受け取ったＴＶＯＣ信号ｓａＴＶＯＣ〜ｓｆＴＶＯＣ、及びＮＯ２信号ｓａＮＯ２〜ｓｆＮＯ２を記憶部５に記憶させる。
【０１０９】
図１３（ａ）、図１４（ａ）、図１５（ａ）に、ＴＶＯＣ信号ｓａＴＶＯＣ〜ｓｆＴＶＯＣの一例を示し、図１３（ｂ）、図１４（ｂ）、図１５（ｂ）に、ＮＯ２信号ｓａＮＯ２〜ｓｆＮＯ２の一例を示す。各図においては、ＴＶＯＣ信号ｓａＴＶＯＣ及びＮＯ２信号ｓａＮＯ２を実線で、ＴＶＯＣ信号ｓｂＴＶＯＣ及びＮＯ２信号ｓｂＮＯ２を点線で、ＴＶＯＣ信号ｓｃＴＶＯＣ及びＮＯ２信号ｓｃＮＯ２を破線で、ＴＶＯＣ信号ｓｄＴＶＯＣ及びＮＯ２信号ｓｄＮＯ２を長破線で、ＴＶＯＣ信号ｓｅＴＶＯＣ及びＮＯ２信号ｓｅＮＯ２を長鎖線で、ＴＶＯＣ信号ｓｆＴＶＯＣ及びＮＯ２信号ｓｆＮＯ２を長二点鎖線で示している。
【０１１０】
図１３（ａ）と図１３（ｂ）は同じタイミングで計測した６０分間の記録である。図１４（ａ）と図１４（ｂ）は同じタイミングで計測した６０分間の記録である。図１５（ａ）と図１５（ｂ）は同じタイミングで計測した６０分間の記録である。一方で、図１３、図１４、図１５は、互いに異なるタイミングで計測されている。
【０１１１】
図１３（ａ）、（ｂ）については、時刻４１ｍｉｎ頃に、ベッドＢＤ上の被験者Ｓが、吸引口Ｐｅの近辺で排便を行ったことが観察されている。
【０１１２】
図１３（ａ）においては、時刻４１ｍｉｎ（縦の実線で示す）の近傍に、この排便に応じたＴＶＯＣ信号ｓａＴＶＯＣ〜ｓｆＴＶＯＣの信号値の低下が生じている。なお、図１３（ａ）（及び図１４（ａ）、図１５（ａ））の縦軸はセンサ素子の抵抗値に対応する値であり、センサ素子の周囲のＴＶＯＣが増加した場合に低下する。
【０１１３】
図１３（ｂ）においては、時刻４１ｍｉｎ（縦の実線で示す）の近傍に、この排便に応じたＮＯ２信号ｓａＮＯ２、ｓｂＮＯ２、及びｓｄＮＯ２〜ｓｆＮＯ２の信号値の上昇が生じている。ＮＯ２信号ｓｄＮＯ２、ｓｅＮＯ２の信号値の上昇が特に大きいのは、おむつと脚の間から臭気がでているためである。
【０１１４】
図１４（ａ）、（ｂ）については、時刻１５ｍｉｎ頃に、ベッドＢＤ上の被験者Ｓが、吸引口Ｐｅの近傍で排尿を行ったことが観察されている。
【０１１５】
図１４（ａ）においては、時刻１５ｍｉｎ（縦の実線で示す）の近傍に、この排尿に応じたＴＶＯＣ信号ｓａＴＶＯＣ〜ｓｆＴＶＯＣの信号値（特にｓｅＴＶＯＣ）のわずかな低下が生じている。
【０１１６】
図１４（ｂ）においては、時刻１５ｍｉｎ（縦の実線で示す）の近傍に、この排尿に応じたＮＯ２信号ｓａＮＯ２〜ｓｆＮＯ２の信号値（特にｓｃＮＯ２、ｓｄＮＯ２、ｓｅＮＯ２、及びｓｆＮＯ２）のわずかな上昇が生じている。
【０１１７】
なお、図１４（ａ）、（ｂ）では縦軸の範囲が大きいため、排尿に応じたＴＶＯＣ信号ｓａＴＶＯＣ〜ｓｆＴＶＯＣの信号値の変化、及びＮＯ２信号ｓａＮＯ２〜ｓｆＮＯ２の信号値の変化がわずかであるようにみえるが、各信号値は、実際には、被験者の排尿に応じて有意且つ検出可能な変化を示している。
【０１１８】
図１５（ａ）、（ｂ）については、時刻３２ｍｉｎ頃に、ベッドＢＤ上の被験者Ｓが、吸引口Ｐｅの近傍で放屁を行ったことが観察されている。
【０１１９】
図１５（ａ）においては、時刻３２ｍｉｎ（縦の実線で示す）の近傍に、この放屁に応じたＴＶＯＣ信号ｓａＴＶＯＣ〜ｓｆＴＶＯＣの信号値の低下が生じている。
【０１２０】
図１５（ｂ）においては、時刻３２ｍｉｎ（縦の実線で示す）の近傍に、この放屁に応じたＮＯ２信号ｓａＮＯ２〜ｓｆＮＯ２の信号値の上昇が生じている。
【０１２１】
このように、被験者Ｓが排泄（排便、排尿、放屁）を行った場合には、ＴＶＯＣ信号ｓａＴＶＯＣ〜ｓｆＴＶＯＣの少なくとも１つの信号値が低下し、ＮＯ２信号ｓａＮＯ２〜ｓｆＮＯ２の少なくとも１つの信号値が上昇する。
【０１２２】
[排泄状態判定工程]
排泄状態判定工程Ｓ６では、排泄状態判定部４４が、予兆動作推定工程Ｓ３、排便・排尿軌跡決定工程Ｓ４、及び臭気検出工程Ｓ５の結果を用いて、被験者Ｓにおける排泄の有無、及び排泄が排便、排泄、放屁のいずれであるかを判定する。
【０１２３】
排泄状態判定部４４は、被験者が排泄（排便、排尿、及び放屁）を行った場合には臭気が生じること、被験者が排便、排尿を行った場合には排便・排尿軌跡が観察されること、及び被験者が排便を行う前に排便予兆動作が観察されることを利用して、排泄状態の判定を行う。
【０１２４】
排泄状態判定部４４は、具体的には例えば、図１６に示すフローチャートに従って、所定の時刻（以下、「判定対象時刻」と呼ぶ）における排泄状態の判定を行う。
【０１２５】
排泄状態判定部４４はまず、臭気検出工程Ｓ５の結果を用いて、判定対象時刻に、被験者Ｓの臀部近傍に臭気が発生しているか否かを判定する（Ｓ４１）。臭気が生じていない場合（Ｓ４１、ＮＯ）は排泄無しと判定し（Ｓ４７）、判定結果を表示部６に出力する（Ｓ４８）。
【０１２６】
一方で、被験者Ｓの臀部近傍に臭気が生じている場合（Ｓ４１、ＹＥＳ）は、予兆動作推定工程Ｓ３の結果を用いて、判定対象時刻の直前の所定の期間（一例として４０〜８０秒程度の期間、又は６０秒程度の期間）に排便予兆動作が生じていたか否かを確認する（Ｓ４２）。予兆動作が生じていた場合（Ｓ４２、ＹＥＳ）は、排便ありと判定し（Ｓ４３）、判定結果を表示部６に出力する（Ｓ４８）。
【０１２７】
予兆動作が生じていない場合（Ｓ４２、ＮＯ）は、排便・排尿軌跡決定工程Ｓ４の結果を用いて、判定対象時刻の直前の所定の期間（一例として２０〜８０秒程度の期間、又は６０秒程度の期間）に排便・排尿軌跡が生じていたか否かを確認する（Ｓ４４）。
【０１２８】
排便・排尿軌跡が生じていた場合（Ｓ４４、ＹＥＳ）は、排尿ありと判定し（Ｓ４５）、判定結果を表示部６に出力する（Ｓ４８）。一方で、排便・排尿軌跡が生じていない場合（Ｓ４４、ＮＯ）は、放屁ありと判定し（Ｓ４６）、判定結果を表示部６に出力する（Ｓ４８）。
【０１２９】
排便状態判定部４４は、図１６のフローチャートに沿った上記の判定を、所定の周期（一例として３０〜１２０秒程度、又は６０秒程度）で経時的に行い、判定結果を順次表示部６に出力する。
【０１３０】
＜表示工程＞
表示工程Ｓ７では、排泄状態判定部４４が判定した被験者Ｓの排泄の有無、及び排泄が排便、排尿、放屁のいずれであるかをモニタに表示する。
【０１３１】
具体的には、例えば、排便、排尿、放屁、及び排泄なしのそれぞれに対応するアイコンをモニタに表示する。身体状態モニタリングシステム１００の使用者は、アイコンを視認することで、被験者Ｓが排便を行ったこと、即ち早急におむつ交換を行う必要のあることを容易に知ることができる。
【０１３２】
身体状態モニタリングシステム１００は、被験者Ｓが排便を行った場合に報知部９により報知がなされるよう設定可能な構成であってもよい。
【０１３３】
本実施形態の身体状態モニタリングシステム１００の効果を以下にまとめる。
【０１３４】
本実施形態の身体状態モニタリングシステム１００において、排泄状態判定部４４は、臭気検出部２が臭気を検出し、且つ予兆動作推定部４２が被験者Ｓが排便予兆動作を行ったと推定した場合に、被験者Ｓが排便を行ったと判定する。本実施形態の身体状態モニタリングシステム１００は、このように、臭気検出部２の検出結果のみではなく予兆動作推定部４２の推定結果も参酌した判定を行うことで、排尿や放屁等が生じた場合にこれを排便であると誤って判定することを抑制することができ、精度の高い排便判定を行うことができる。
【０１３５】
本実施形態の身体状態モニタリングシステム１００は、臭気検出部２を用いた臭気の検出、予兆動作推定部４２を用いた排便予兆動作の推定、及び排便・排尿軌跡決定部４３を用いた排便・排尿軌跡の特定に基づいて、排泄状態を判定している。したがって、被験者Ｓの排泄の有無のみならず、排泄が排便、排尿、放屁のいずれであるかも判定することができる。
【０１３６】
＜変形例＞
上記施形態の身体情報モニタリングシステム１００において、次の変形態様を採用することもできる。
【０１３７】
上記実施形態の身体情報モニタリングシステム１００においては、臭気検出部２は、ＴＶＯＣセンサ２１１、二酸化窒素センサ２１２、及び６本の吸引流路２２ａ〜２２ｆを有するが、これには限られない。
【０１３８】
臭気検出部２の本体部２１は、ＴＶＯＣセンサ２１１及び二酸化窒素センサ２１２のいずれか一方を有するのみでもよい。また、ＴＶＯＣセンサ２１１及び／又は二酸化窒素センサ２１２に変えて、排泄により生じる臭気を検出可能な任意のセンサを用いることができる。
【０１３９】
臭気検出部２は、吸引流路２２ａ〜２２ｆの少なくとも１つを有するのみでもよく、７つ以上の吸引流路を有してもよい。また、吸引流路を省略して、ＴＶＯＣセンサ２１１及び／又は二酸化窒素センサ２１２をシーツの下に設置してもよい。
【０１４０】
上記実施形態では６つの吸引流路２２ａ〜２２ｆの吸引口Ｐａ〜Ｐｆが、長さ方向に２行、幅方向に３列の２×３のマトリックス状に配置されている。しかしながら、これには限られず、臭気検出部２が備える吸引流路の数、及び吸引口の配置は任意であり、臭気検出に適した任意の数及び配置とし得る。
【０１４１】
上記実施形態の身体状態モニタリングシステム１００において、予兆動作推定部４２は、測定された重心Ｇの時間的変動、及び／又は測定された荷重信号ｓ１〜ｓ４の時間的変動と、記憶部５に予め記憶した参照データとの比較に基づいて、被験者Ｓが排便予兆動作を行ったことを推定してもよい。参照データは、図５（ａ）、図６（ａ）、図７（ａ）に示すような重心軌跡や、図５（ｂ）、図６（ｂ）、図７（ｂ）に示すような荷重信号とし得る。この変形態様では、予兆動作推定部４２は、測定された時間的変動が参照データに一致又は類似した場合に、被験者Ｓが排便予兆動作を行ったと推定してもよい。
【０１４２】
上記実施形態の身体状態モニタリングシステム１００において、大きな体動軌跡除去部４３１は、被験者Ｓの重心Ｇが略一方向に所定時間内に所定距離を超えて移動した場合に大きな体動が生じたと判断し、この期間の重心軌跡ＧＴが大きな体動軌跡であると特定してもよい。重心Ｇが略一方向に移動しているか否かは、一例として、所定のサンプリング期間における重心Ｇの動きベクトルと、次のサンプリング期間における重心Ｇの動きベクトルとの間の角度が所定の角度以下であるか否かに基づいて判断することができる。
【０１４３】
具体的には例えば、図１８に示すように、重心Ｇの動きベクトルｖ５２〜ｖ５４は、その直前のサンプリング期間における動きベクトルに対して、約５°以下の角度を有しているが、動きベクトルｖ５５は、その直前のサンプリング期間における動きベクトルｖ５４に対して５°以上の角度を有している。このような場合、重心Ｇは、動きベクトルｖ５１〜ｖ５４に対応するサンプリング期間においては略一定方向に移動し、動きベクトルｖ５５に対応するサンプリング期間においては移動方向が変更されたとみなすことができる。
【０１４４】
大きな体動軌跡除去部４３１は、移動方向が変更されたとみなした場合には、移動方向の変更があった時点の前の動きベクトル（ここでは動きベクトルｖ５１〜ｖ５４）に基づき、所定時間内に所定距離を越える移動が生じていたか否かを判定する。そして、所定時間内に所定距離を越える移動が生じていた場合は、これらの動きベクトルにより表される軌跡は大きな体動軌跡であると特定する。
【０１４５】
なお、動きベクトルを用いた大きな体動軌跡の特定を行う前に、重心軌跡ＧＴをローパスフィルタでフィルタリングしてもよい。これにより高周波成分（ノイズ）が除去され、特定の精度を向上させることができる。
【０１４６】
上記実施形態の身体状態モニタリングシステム１００において、小さな体動軌跡除去部４３２は、外れ値除去の方法により小さな体動軌跡を特定しているが、これには限られない。具体的には例えば、重心軌跡ＧＴの極値の特定等により呼吸振動軌跡を特定し、呼吸振動軌跡の振動方向とは異なる方向に延びる重心軌跡ＧＴを小さな体動軌跡であると特定してもよい。
【０１４７】
上記実施形態の身体状態モニタリングシステム１００において、小さな体動軌跡除去部４２２や軌跡区別部４３３を、被験者Ｓの呼吸振動軌跡の振動方向（例えば最頻値ベクトルｖｆの方向）に基づいて、当該方向を被験者Ｓの体軸の延びる方向であると決定する体軸方向決定部として機能させてもよい。
【０１４８】
上記実施形態の身体状態モニタリングシステム１００においては、軌跡区別部４３３は、重心Ｇの位置の直線的な移動の量に基づいて呼吸振動軌跡と排便・排尿軌跡とを分離していたが、これには限られない。軌跡区別部４３３は、小さな体動軌跡除去部４３２から受け取った重心軌跡ＧＴに対応する荷重信号にフィルタリングを適用して高周波成分を除去し、残った荷重成分に基づく重心軌跡を排便・排尿軌跡（排便排尿成分）と特定してもよい。
【０１４９】
このように、周波数フィルタリングを適用して、呼吸振動軌跡と排便・排尿軌跡との区別を行うこともできる。
【０１５０】
上記実施形態の身体状態モニタリングシステム１００においては、排便・排尿軌跡決定部４３が軌跡区別部４３３を備え、排便・排尿軌跡を明示的に特定しているがこれには限られない。排便・排尿軌跡決定部４３は、排便・排尿軌跡を明示的に特定することなく、排便・排尿軌跡が存在すると決定してもよい。具体的には例えば、大きな体動軌跡及び小さな体動軌跡が除去された重心軌跡が軸方向に所定値を越える広がりを有していることに基づいて、排便・排尿軌跡が存在すると決定してもよい。大きな体動軌跡及び小さな体動軌跡が除去された重心軌跡は、通常は呼吸に応じて振動しているのみであるため、当該軌跡が、呼吸振動の振動軸の方向に、呼吸振動軌跡の振幅を超える比較的大きな広がりを示している場合は、排便・排尿軌跡が存在する可能性が高い。
【０１５１】
上記実施形態の身体状態モニタリングシステム１００においては、排泄状態判定部４４は、図１６に示すフローチャートに従って被験者Ｓの排泄状態を判定しているが、これには限られない。排泄状態判定部４４は、臭気検出部２による臭気検出工程Ｓ５の結果、予兆動作推定部４２による予兆動作推定工程Ｓ３の結果、及び排便・排尿軌跡決定部４３による排便・排尿軌跡決定工程Ｓ４の結果を用いた任意の手順により被験者Ｓの排泄状態を判定し得る。
【０１５２】
具体的には例えば、図１７のフローチャートに従って排泄状態を判定し得る。
【０１５３】
この変形例では、排泄状態判定部４４はまず、臭気検出工程Ｓ５の結果を用いて、判定対象時刻に、被験者Ｓの臀部近傍に臭気が発生しているか否かを判定する（Ｓ５１）。臭気が生じていない場合（Ｓ５１、ＮＯ）は排泄無しと判定し（Ｓ５７）、判定結果を表示部６に出力する（Ｓ５８）。
【０１５４】
一方で、被験者Ｓの臀部近傍に臭気が生じている場合（Ｓ５１、ＹＥＳ）は、排便・排尿軌跡決定工程Ｓ４の結果を用いて、判定対象時刻の直前の所定の期間（一例として２０〜８０秒程度の期間、又は６０秒程度の期間）に排便・排尿軌跡が生じていたか否かを確認する（Ｓ５２）。
【０１５５】
排便・排尿軌跡が生じていない場合（Ｓ５２、ＮＯ）は、放屁ありと判定し（Ｓ５６）、判定結果を表示部６に出力する（Ｓ５８）。一方で、排便・排尿軌跡が生じている場合（Ｓ５２、ＹＥＳ）は、予兆動作推定工程Ｓ３の結果を用いて、判定対象時刻の直前の所定の期間（一例として４０〜８０秒程度の期間、又は６０秒程度の期間）に排便予兆動作が生じていたか否かを確認する（Ｓ５３）。
【０１５６】
排便予兆動作が生じていた場合（Ｓ５３、ＹＥＳ）は、排便ありと判定し（Ｓ５４）、判定結果を表示部６に出力する（Ｓ４８）。予兆動作が生じていない場合（Ｓ５３、ＮＯ）は、排尿ありと判定し（Ｓ５５）、判定結果を表示部６に出力する（Ｓ５８）。
【０１５７】
その他の例として、排泄状態判定部４４は、予兆動作推定部４２が被験者Ｓが排便予兆動作を行ったと推定した場合に予兆動作フラグをたて、予兆動作フラグを立てた後の所定の期間（一例として４０〜８０秒程度、又は６０秒程度）の間に臭気検出部２が臭気を検出した場合に、被験者Ｓが排便を行ったと判定してもよい。
【０１５８】
更に他の例として、排泄状態判定部４４は、排便・排尿軌跡決定部４３が排便・排尿軌跡を特定した場合に、臭気検出部２の検出結果を参照してもよい。この場合、臭気検出部２が臭気を検出していない場合は排泄無しと判定する。一方で、臭気が検出された場合には更に予兆動作推定部４２の推定結果を参照し、予兆動作ありと推定されていた場合には排便ありと判定し、予兆動作ありとの推定がなされていない場合には排尿ありと判定する。
【０１５９】
上記実施形態の身体状態モニタリングシステム１００において、排便・排尿軌跡決定部４３を省略してもよい。このような態様においても、被験者Ｓの排便の有無を高い精度で判定することができる。
【０１６０】
上記実施形態の身体状態モニタリングシステム１００において、予兆動作推定部４２を省略してもよい。このような態様においても、被験者Ｓの排便又は排尿の有無を高い精度で判定することができる。
【０１６１】
本発明及び本明細書において、「排泄状態の判定」とは、排泄の有無の判定、排便の有無の判定、排尿の有無の判定、放屁の有無の判定の少なくとも１つを含む判定を意味する。
【０１６２】
上記実施形態の身体状態モニタリングシステム１００は、ベッド上の湿度を検出する湿度検出部、ベッド上の温度を検出する温度検出部を備えてもよい。湿度検出部はベッドのシーツの下にマトリックス状に配置される複数の湿度センサを含んでもよく、温度検出部はベッドのシーツの下にマトリックス状に配置される複数の温度センサを含んでもよい。
【０１６３】
上記実施形態においては、被験者Ｓがおむつを装着している場合を例として説明したが、被験者がおむつを装着していない場合も、上記実施形態の身体状態モニタリングシステム１００を用いて、上記実施形態と同様の原理で、被験者の排泄状態を判定することができる。
【０１６４】
上記実施形態の身体状態モニタリングシステム１００は、必ずしも荷重検出器１１〜１４の全てを備える必要はなく、このいずれか一つを備えるのみでもよい。また、荷重検出器は、必ずしもベッドの四隅に配置される必要はなく、ベッド上の被験者の荷重及びその変動を検出しうるように、任意の位置に配置し得る。また、荷重検出器１１〜１４は、ビーム形ロードセルを用いた荷重センサに限られず、例えばフォースセンサを使用することもできる。
【０１６５】
上記実施形態の身体状態モニタリングシステム１００においては、荷重検出器１１〜１４の各々は、ベッドＢＤの脚の下端に取り付けられたキャスターＣ１〜Ｃ４の下に配置されていたがこれには限られない。荷重検出器１１〜１４の各々は、ベッドＢＤの４本の脚とベッドＢＤの床板との間に設けられてもよいし、ベッドＢＤの４本の脚が上下に分割可能であれば、上部脚と下部脚との間に設けられても良い。
【０１６６】
上記実施形態の身体状態モニタリングシステム１００においては、ベッド上に横たわる被験者の下方、一例としてシーツの下にマトリックス状に配置された多数の感圧センサ（圧力センサ）により荷重検出部１を構成することもできる。この態様においては、多数の感圧センサの出力に基づいて、被験者の重心の位置を求めることができる。
【０１６７】
荷重検出部１とベッドＢＤとを一体に又は着脱可能に組み合わせて、ベッドＢＤと上記実施形態の身体状態モニタリングシステム１００とからなるベッドシステムＢＤＳを構成してもよい（図１９）。
【０１６８】
上記実施形態の身体状態モニタリングシステム１００において、荷重検出部１及び／又は臭気検出部２とＡ／Ｄ変換部３との間に、荷重検出部１及び／又は臭気検出部２からの信号を増幅する信号増幅部や、信号からノイズを取り除くフィルタリング部を設けても良い。
【０１６９】
上記実施形態の身体状態モニタリングシステム１００において、表示部６は、モニタに代えて、又はこれに加えて、排泄状態を表わす情報を印字して出力するプリンタや、排泄状態を表示するランプ等の簡易な視覚表示手段を備えてもよい。報知部７はスピーカに代えて、又はこれに加えて、振動により報知を行う振動発生部を備えてもよい。
【０１７０】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【０１７１】
本発明の身体状態モニタリングシステムによれば、被験者の排泄状態を高い精度で判定して、医療、介護等の質の向上に資することができる。
【符号の説明】
【０１７２】
１  荷重検出部、１１，１２，１３，１４  荷重検出器、２  臭気検出部、３  Ａ／Ｄ変換部、４  制御部、４１  重心位置算出部、４２  予兆動作推定部、４３  排便・排尿軌跡決定部、４４  排泄状態判定部、５  記憶部、６  表示部、７  報知部、８  入力部、１００  生体状態モニタリングシステム、ＢＤ  ベッド、ＢＤＳ  ベッドシステム、Ｓ  被験者
【要約】
【課題】被験者に排便があったこと、又は排便若しくは排尿があったことをより高い精度で検知することのできる身体状態モニタリングシステムを提供する。
【解決手段】ベッド上の被験者の身体状態をモニタする身体状態モニタリングシステムは、ベッド又はベッドの脚下に設けられて前記被験者の荷重を検出する複数の荷重検出器と、前記ベッド上の臭気を検出する臭気検出部と、前記検出された被験者の荷重の時間的変動に基づいて前記被験者の排便予兆動作を推定する予兆動作推定部と、前記臭気検出部の検出結果と前記予兆動作推定部の推定結果とに基づいて前記被験者による排便の有無を判定する排泄判定部とを備える。
【選択図】図１【図１】
0006934982.tif 000004
【図２】
0006934982.tif 000005
【図３】
0006934982.tif 000006
【図４】
0006934982.tif 000007
【図５】
0006934982.tif 000008
【図６】
0006934982.tif 000009
【図７】
0006934982.tif 000010
【図８】
0006934982.tif 000011
【図９】
0006934982.tif 000012
【図１０】
0006934982.tif 000013
【図１１】
0006934982.tif 000014
【図１２】
0006934982.tif 000015
【図１３】
0006934982.tif 000016
【図１４】
0006934982.tif 000017
【図１５】
0006934982.tif 000018
【図１６】
0006934982.tif 000019
【図１７】
0006934982.tif 000020
【図１８】
0006934982.tif 000021
【図１９】
0006934982.tif 000022